(57)【要約】【課題】  本発明の目的は、外部装置を必要とせずに、ランプが交換されたことを自動的に判定し、積算時間を初期化することが可能な電子安定器を提供することにある。【解決手段】  ランプ１４の点灯積算時間を記憶する積算時間記憶手段５２を備え、該積算時間に基づきランプの点灯制御を行う電子安定器１０において、安定点灯時のランプ電流値もしくは電圧値を、各点灯機会ごとに記録する点灯履歴記憶手段５４と、点灯履歴記憶手段５４にて記憶された以前の点灯時のランプ電流値もしくはランプ電圧値と、今回点灯時のランプ電流値もしくはランプ電圧値とを比較することで、ランプを交換したか否かを判定する判定手段５６と、を備え、判定手段５６によってランプが交換されたと判定されたとき、前記積算時間記憶手段５２に記憶された点灯積算時間が初期化されることを特徴とする電子安定器。【選択図】      図２
2005353357.tif 000002
【特許請求の範囲】
【請求項１】
ランプの点灯積算時間を記憶する積算時間記憶手段を備え、該積算時間に基づきランプの点灯制御を行う電子安定器において、
安定点灯時のランプ電流値もしくは電圧値を、各点灯機会ごとに記録する点灯履歴記憶手段と、
点灯履歴記憶手段にて記憶された以前の点灯時のランプ電流値もしくはランプ電圧値と、今回点灯時のランプ電流値もしくはランプ電圧値とを比較することで、ランプを交換したか否かを判定する判定手段と、
を備え、
判定手段によってランプが交換されたと判定されたとき、前記積算時間記憶手段に記憶された点灯積算時間が初期化されることを特徴とする電子安定器。
【請求項２】
請求項１に記載の電子安定器において、
前記判定手段は、ランプ点灯積算時間が所定時間以上経過した時点から判定を始めることを特徴とするランプ点灯装置。
【請求項３】
請求項１または２のいずれかに記載の電子安定器において、
前記判定手段は、前回点灯時のランプ電流値もしくはランプ電圧値と、今回点灯時のランプ電流値もしくはランプ電圧値との差分の絶対値が、所定の閾値以上のときランプが交換されたと判断することを特徴とする電子安定器。
【請求項４】
請求項３に記載の電子安定器において、
前記判定手段は、前回のランプ電流もしくは電圧と、今回点灯時のランプ電流値もしくはランプ電圧値との差分の絶対値が所定の閾値以上であり、かつ使用するランプの経時特性とは逆向きの変化であったときにランプを交換したと判定することを特徴とする電子安定器。
【請求項５】
請求項４に記載の電子安定器において、
点灯履歴記憶手段に記憶された各回点灯時のランプ電流値もしくはランプ電圧値から、ランプの経時特性を算出する経時特性算出手段を備えたことを特徴とする電子安定器。
【発明の詳細な説明】
【技術分野】
【０００１】
本発明は、放電ランプ用の電子安定器、特にその点灯制御機構の改良に関する。
【背景技術】
【０００２】
一般にＨＩＤランプは、図１に示すように、その光束維持率が寿命に従い低下する特性を有する。このため、ランプの点灯電力を一定に保っても、寿命初期と末期では光束が変化してしまう。この問題の解決のために、ランプの点灯時間を積算し、その積算時間に基づき、あらかじめマイコン内部に用意された光束維持テーブルから補正値を求め、点灯電力を変化させる方法がある（例えば、特許文献１参照）。この方法を用いると、寿命経過による光束の変化を抑えることが可能であるが、ランプを交換した場合、積算時間を初期状態（０時間）に戻す必要がある。積算時間を初期状態に戻すためには、例えば器具もしくは電子安定器本体等にスイッチを設け、ランプ交換時にスイッチを操作する方法等が考えられた。
【特許文献１】特開２００１−３２６０８６号公報
【発明の開示】
【発明が解決しようとする課題】
【０００３】
しかしながら、一般的にＨＩＤランプの器具および電子安定器本体は、直接操作可能な場所に設置されることが少なく、例えスイッチを設けたとしても実際に操作することは困難である。また、器具等にスイッチを設けることは製品コストが高くなることを示し、信頼性の面から見ても好ましいとは言えない。
本発明は上記課題に鑑みなされたものであり、その目的は、外部装置を必要とせずに、ランプが交換されたことを自動的に判定し、積算時間を初期化することが可能な電子安定器を提供することにある。
【課題を解決するための手段】
【０００４】
上記目的を達成するために、本発明の電子安定器は、ランプの点灯積算時間を記憶する積算時間記憶手段を備え、該積算時間に基づきランプの点灯制御を行う電子安定器において、安定点灯時のランプ電流値もしくは電圧値を、各点灯機会ごとに記録する点灯履歴記憶手段と、点灯履歴記憶手段にて記憶された以前の点灯時のランプ電流値もしくはランプ電圧値と、今回点灯時のランプ電流値もしくはランプ電圧値とを比較することで、ランプを交換したか否かを判定する判定手段と、を備え、判定手段によってランプが交換されたと判定されたとき、前記積算時間記憶手段に記憶された点灯積算時間が初期化されることを特徴とする。
上記の電子安定器において、前記判定手段は、ランプ点灯積算時間が所定時間以上経過した時点から判定を始めることが好適である。
【０００５】
上記の電子安定器において、前記判定手段は、前回点灯時のランプ電流値もしくはランプ電圧値と、今回点灯時のランプ電流値もしくはランプ電圧値との差分の絶対値が、所定の閾値以上のときランプが交換されたと判断することが好適である。
上記の電子安定器において、前記判定手段は、前回のランプ電流もしくは電圧と、今回点灯時のランプ電流値もしくはランプ電圧値との差分の絶対値が所定の閾値以上であり、かつ使用するランプの経時特性とは逆向きの変化であったときにランプを交換したと判定することが好適である。
上記の電子安定器において、点灯履歴記憶手段に記憶された各回点灯時のランプ電流値もしくはランプ電圧値から、ランプの経時特性を算出する経時特性算出手段を備えることが好適である。
【発明の効果】
【０００６】
本発明の電子安定器によれば、安定点灯時のランプ電流値もしくは電圧値を、各点灯機会ごとに記録する点灯履歴記憶手段と、点灯履歴記憶手段にて記憶された以前の点灯時のランプ電流値もしくはランプ電圧値と、今回点灯時のランプ電流値もしくはランプ電圧値とを比較することで、ランプを交換したか否かを判定する判定手段とを備えたため、ランプを交換したとき、自動的にランプ点灯積算時間を初期化することが可能となる。
【発明を実施するための最良の形態】
【０００７】
以下に図面を参照して本発明の好適な実施形態の説明を行う。図２は、本発明の実施形態にかかる電子安定器である。
本実施形態の電子安定器１０は、交流電源１２からの電力をランプ１４に供給する電力供給回路系１６と、該電力供給回路系１６を制御する点灯制御回路系１８とで構成されている。
電力供給回路系１６は、交流電源１２よりノイズ成分を除去するノイズフィルタ２０と、交流を整流・平滑化する整流回路２２と、昇圧コンバータ回路２４と、降圧コンバータ回路２６と、矩形波回路２８と、イグナイタ回路３０と、を備える。これらが順次、交流電源１２に並列に接続され、イグナイタ回路３０の出力側にランプ１４が接続される。また、ランプ電流検出回路３２と、ランプ電圧分圧回路３４とを備え、点灯制御回路系１８へランプ電流、ランプ電圧の情報を送る。この電力供給回路系１６は一般的な電子安定器の構成とすればよく、本実施形態の例に限定されない。
【０００８】
点灯制御回路系１８は、昇圧コンバータ回路２４及び降圧コンバータ回路２６をそれぞれ制御する昇圧コンバータ制御ＩＣ３８及び降圧コンバータ制御ＩＣ４０の二つのアナログＩＣと、それらを統合制御するワンチップマイクロコンピュータ４２によって構成される。また、制御用ＩＣ３８，４０、ワンチップマイコン４２には制御用ＤＣ／ＤＣコンバータ回路３６から駆動電源（直流電源）が供給される。なお、ワンチップマイコン４２としては、例えば、モトローラ製：ＭＣ６８ＨＣ９０８ＱＹ４（フラッシュメモリ版  ８ビット  ＣＰＵ）等を用いればよい。
ワンチップマイコン４２にはランプ電圧分圧回路３４より、ランプ電圧信号が送られ、これによりワンチップマイコン４２は常時ランプ１４の電圧を監視することができる。逆にワンチップマイコン４２からは、昇圧コンバータ制御ＩＣ３８・降圧コンバータ制御ＩＣ４０に制御開始・停止信号を送るための接続が用意されている。ワンチップマイコン４２から降圧コンバータ制御ＩＣ４０にランプ電流の指令値が送られるが、この信号はアナログ（直流）であり、その出力方法はデジタル・アナログコンバータ（Ｄ／Ａコンバータ）を介して、もしくはＰＷＭ信号を平滑化したものでも良い。また、ワンチップマイコン４２からは矩形波回路２８に、矩形波駆動用の信号が出力される。
【０００９】
以上のような構成で、ワンチップマイコン４２は、電力供給回路系１６、温度センサ４６、インターフェース４８に接続された外部機器（調光器５０等）からの情報に基づき、ランプの点灯制御処理を行うようプログラムされている。本実施形態では、ワンチップマイコン４２は、ランプの点灯時にその点灯積算時間を積算するようにプログラムされており（点灯時間積算手段５８）、内蔵された不揮発性メモリに、ランプの積算時間、点灯機会ごとのランプ電流もしくはランプ電圧の値、が記憶される（積算時間記憶手段５２、点灯履歴記憶手段５４）。そして、記憶された積算時間、点灯機会ごとのランプ電圧または電流の値に基づいて、ランプを交換したか否かを判定するようプログラムされている（判定手段５６）。つまり、判定手段５６は、点灯履歴記憶手段５４にて記憶された以前の点灯時のランプ電流値もしくはランプ電圧値と、今回点灯時のランプ電流値もしくはランプ電圧値とを比較することで、ランプを交換したか否かを判定する。この判定は、積算時間が所定の判断開始時間以上となった時点から行われる。この判断開始時間は、使用するランプの種類、寿命等から適宜設定される。
【００１０】
さらに、ワンチップマイコン４２は、一般的な電子安定器が備えている機能、例えば、ランプ電圧を監視し出力電力が最適になるようそれに見合ったランプ電流の指令を降圧コンバータ制御ＩＣ４０に出力する機能、ランプ点灯の積算時間からマイコン４２内部にあらかじめ用意された光束補正率テーブル（図１０参照）を読み出し出力電力を調整する定光束機能、ランプが始動より一定時間経っても点灯しなかった場合、出力を停止する保護機能、温度センサ４６により電子安定器１０本体の温度を監視し異常な温度が認められた場合出力を停止する保護機能、各アナログ制御ＩＣ３８、４０の動作をランプ点灯・消灯の状態に合わせて開始・停止する機能、ランプ点灯後一定時間内は外部の調光器５０より入力される調光信号をキャンセルする安定始動機能、等を備えていることが好適である。
また、ワンチップマイコン４２には、電子安定器と外部を絶縁するインターフェース４８が接続されている。このインターフェース４８には、外部機器（調光器５０）から連続調光信号（Ｄｕｔｙ信号：Ｄｕｔｙ比  ０％〜１００％）が入力され、外部機器によるランプの調光処理が可能な構成となっている。
【００１１】
以上が本実施形態の電子安定器の概略構成であり、以下にその作用を説明する。
一般的に放電ランプは、その種類により経時特性は異なるが、図３に示すように、その負荷電圧が寿命に従い緩やかに上昇（図３（ａ））もしくは下降する特性（図３（ｂ））を有する。図４には、点灯積算時間とランプ電圧の推移の関係の一例が示されている。この例では、公称寿命を１００００時間、寿命初期における点灯電圧は１２０Ｖ、寿命末期は１４５Ｖまで上昇するランプを用いた場合を想定している。また、ランプの交換を行ったか否かの判断を開始する判断開始時間を８０００時間とした。図４では、ランプを所定時間連続点灯した後、消灯するといったサイクルをｎ回繰り返し、その後ランプを新品のものに交換した例を示している。
【００１２】
まず、交換したばかりの寿命初期のランプが点灯される（状態１）。点灯後一定時間経過した後（安定点灯時）のランプ電圧（１２０．０Ｖ）がワンチップマイコンに記録される。ランプ電圧の記録は、点灯一回につき最初の一回のみ行われる。このランプ電圧の記録は、ランプの安定点灯時、例えばランプ点灯から５分後に行われる。また、点灯時間の積算と記録は、点灯中は積算の最小単位時間ごとに更新される。
１２時間点灯された後、一旦消灯し、再び点灯する（状態２）。同じように、点灯後一定時間経過した後のランプ電圧の値が点灯履歴手段に記録される。そして、前回（状態１）における点灯電圧と今回（状態２）における点灯電圧の差ΔＶを求める。図３の例の場合、電圧差は０．１Ｖであり、また積算時間が判断開始時間以下であることから、同一のランプが点灯されている（ランプは交換されていない）ことが推測される。
【００１３】
同様にして点灯・消灯のサイクルが寿命末期まで繰り返される（状態ｎ）。状態ｎの後、新品のランプに交換し点灯したものが状態ｎ＋１である。このとき、前回（状態ｎ）における点灯電圧と、今回（状態ｎ＋１）における点灯電圧の差ΔＶは２５Ｖと大きく、かつ記憶されている点灯積算時間が判断開始時間（８０００時間）を超えている事から、状態ｎ＋１は状態ｎ時とは別のランプが点灯されていることが推測できる。これにより、積算時間を初期状態に戻し、積算時間を使用した諸機能を正常に動作させることが可能となる。
以上の動作をまとめると、（１）積算時間が判断開始時間以下、またはΔＶが閾値以下のときは、積算時間は初期化されない、（２）積算時間が判断開始時間以上、かつΔＶが閾値以上のときは、積算時間が０時間に初期化される。
【００１４】
判断開始時間及びΔＶの閾値は、ランプの種類により変更され、あらかじめワンチップマイコンに記録されるものである。また、上記の例ではランプの交換の判断を、前回のランプ電圧値と今回のランプ電圧値との差の絶対値から判断したが、使用するランプの経時特性を考慮して判断してもよい。つまり、使用するランプの経時特性があらかじめ分かっている場合、ランプの経時特性に合わせ、ΔＶの符号も込みで判断するようにしてもよい。例えば、ランプ電圧値が点灯積算時間に応じて増加する場合（図５（ａ）参照）、今回点灯時のランプ電圧が、前回点灯時のランプ電圧よりも小さく、かつその差の絶対値が所定の閾値以上のとき、ランプが交換されたと推測できる。また、逆にランプ電圧値が点灯積算時間に応じて減少する場合（図５（ｂ）参照）には、今回点灯時のランプ電圧が、前回点灯時のランプ電圧よりも大きく、かつその差の絶対値が所定の閾値以上のとき、ランプが交換されたと推測できる。
【００１５】
また、上記のランプ特性自体を過去の点灯履歴の記憶から算出するように、ワンチップマイコンをプログラムすることも可能である。図６に示した実施形態の電子安定器１１０は、図１の実施形態のものにさらに経時特性算出手段６０を加えたものである。なお、図２と同一の部材には同一符号を付けて説明を省略する。
図７に示すように過去の点灯機会時のランプ電圧の値から、ランプ電圧が積算時間に応じて大きくなるか、小さくなるかを推測することができる。そこで、経時特性算出手段６０によって過去の点灯履歴から、使用するランプの大まかな経時特性（点灯積算時間に対するランプ電圧の変化が正であるか負であるか）を推測する。こうして得られたランプの経時特性に基づいて、上記のランプ交換の判断を行えばよい。つまり、前回点灯時のランプ電流値もしくはランプ電圧値と、今回点灯時のランプ電圧値との差分の絶対値が所定の閾値よりも大きく、かつ使用するランプの経時特性とは逆向きの変化であったときに、ランプが判断されたと判定すればよい。
【００１６】
経時特性の算出は、積算時間が判断開始時間以下のときの点灯機会ごとのランプ電圧のデータを用いて行う。ランプの積算時間が判断開始時間を超えるまでには、十分な量の点灯履歴のデータが記憶されるため、十分正確にランプの経時特性を推測することができる。
上記の例では、ランプ交換がされたか否かの判断はランプ電圧の変化ΔＶを用いて行ったが、もちろんランプ電流の変化ΔＩを利用してもよい。また、ランプの照度を検出する照度検出器をワンチップマイコンに接続し、各回点灯時の積算時間による補正前のランプの照度を計測、記録し、各回点灯時のランプの照度変化を見ることによってランプ交換の判断を行ってもよい。
【００１７】
また、上記の判断方法は、ランプの使用条件に応じて使い分ければよい。例えば、点灯時間が比較的短時間で、点灯・消灯を繰り返す場合には各回点灯時のランプ電圧の差は小さいため、変化ΔＶの絶対値によって判断することが可能である。しかし、長時間連続点灯を行う場合、各回点灯時のランプ電圧の差が大きくなるため、ランプの経時特性も考慮した判断を行う方が望ましい。
このように、本実施形態の電子安定器によれば、ランプが交換されたことを自動的に判定し、ランプ点灯の積算時間を初期化することができる。このため、積算時間の初期化のために、器具もしくは電子安定器本体にスイッチ等の外部機器を設ける必要がなくなる。また、ユーザーも、ランプを交換するだけで他の操作を必要としないため、省力化が図られ、積算時間の初期化のし忘れも防ぐことができる。そのため、正しい積算時間に応じた照度補正を行うことが可能となる。
【００１８】
次に再び図２に戻り、図２の実施形態の電子安定器のワンチップマイコンの制御プログラムについてその一例を説明する。図８はそのフローチャートである。
なお、ワンチップマイコン４２には図９、図１０に示すように、電流指令値テーブルＴ１、光束補正率テーブルＴ２が設定されている。これらの各テーブル情報は、あらかじめ実験もしくは計算などによって求められ、その値が記録されている。図９の電流指令値テーブルＴ１は、ランプ電圧分圧回路３４によって検出されたランプ電圧に応じたランプ電流指令値を求めるためのものであり、横軸はランプ電圧に対応したメモリのアドレスを、縦軸は電流指令値を示している。また、図１０の光束補正率テーブルＴ２は、ランプの経時特性を考慮して、点灯積算時間に応じた補正率を求めるためのものであり、横軸は経過時間（点灯積算時間）に対応したメモリのアドレスを、縦軸が補正率を示している。これら２つのテーブルから得られた電流指令値と補正率を掛け算することで、積算時間に応じた補正済みの電流指令値が得られる。
【００１９】
また、テーブルＴ１、Ｔ２の情報量はワンチップマイコンもしくはその他の手段の記憶容量に従い適宜変更してよい。
以下に図８の流れに沿って制御プログラムを説明する。
ステップＳ１：ワンチップマイコン４２に電源がＤＣ／ＤＣコンバータ３６より投入され、プログラムがスタートする。このステップには、ワンチップマイコン４２自体の初期化処理も含まれる。
ステップＳ２：ランプ点灯動作が開始される。各変数の初期化処理が行われる。
ステップＳ３：ランプ電圧分圧回路３４によりランプ電圧（Ｖｌ）を検出する。
ステップＳ４：検出したランプ電圧より、ワンチップマイコン４２であらかじめ記録されたテーブルＴ１（図９）を参照して、ランプ電流指令値ｉ１を選択する。
【００２０】
ステップＳ５：ランプ点灯開始から５分以内かどうかを判断する。点灯より５分以内であればステップＳ２２へ、５分以上であればステップＳ６へ移る。ここでの５分という時間は、ランプが安定に動作するまでのおおよその目安の時間である。
ステップＳ６：今回点灯時に、ランプ電圧（Ｖｌ）を不揮発メモリ（点灯履歴記憶手段５４）へ記録したかを判断する。記憶されていればステップＳ１４へ、記録されていなければステップＳ７へ移行する。
ステップＳ７：不揮発メモリ（積算時間記憶手段５２）にすでに記録されている前回点灯時の積算時間を参照する。
【００２１】
ステップＳ８：ステップＳ７で不揮発メモリ（積算時間記憶手段５２）より取り出した積算時間が、判断開始時間を超えているかを判断する。積算時間が判断開始時間を超えていればステップＳ９へ、超えていなければステップＳ１３へ移行する。ここで判断開始時間は、使用するランプの公称寿命などを考慮して適宜設定する。例えば、公称寿命が１００００時間であるならば、判断を開始する判断開始時間を８０００時間等に設定しておく。
ステップＳ９：不揮発メモリ（点灯履歴記憶手段５４）にすでに記録されている前回点灯時のランプ電圧を参照する。
ステップＳ１０：ステップＳ９で不揮発メモリ（点灯履歴記憶手段５４）より取り出した前回点灯時のランプ電圧と、今回点灯時のランプ電圧より、その差ΔＶを求める。
ステップＳ１１：ステップＳ１０で求められたΔＶが、閾値以上かどうか判断する。閾値以上であればランプが交換されたと判断しステップＳ１２へ、閾値以下であればランプは交換されていないと判断しＳ１３へ移行する。
【００２２】
ステップＳ１２：ステップＳ１１によりランプが交換されたと判断されたので、積算時間は0時間とし不揮発メモリに記録する。
ステップＳ１３：今回点灯時のランプ電圧を不揮発メモリ（点灯履歴記憶手段５４）に記録する。ランプ電圧はランプ点灯１回につき１回のみ記録される。
ステップＳ１４：不揮発メモリ（積算時間記憶手段５２）より、現在の積算時間を参照する。
ステップＳ１５：ステップＳ１４で読み出された積算時間より、あらかじめ不揮発メモリに記憶された光束補正率テーブルＴ２（図１０）を参照する。
ステップＳ１６：ステップＳ１５で得られた光束補正値と、ステップＳ４で得られた電流指令値ｉ１より、新たな電流指令値ｉ２を算出する。
【００２３】
ステップＳ１７：インターフェース４８を通して外部機器より連続調光信号が入力されているか判断する。信号が入力されていればステップＳ１８へ、入力されていなければステップＳ２１へ移行する。
ステップＳ１８：インターフェース４８を通して、調光信号を取り込み、その結果から調光率を算出する。
ステップＳ１９：ステップＳ１８で得られた調光率と、ステップＳ１６で得られている電量指令値ｉ２より、新たな電流指令値ｉ３を算出する。
ステップＳ２０：ステップＳ１９により得られた電流指令値ｉ３を、デジタル・アナログコンバータ、もしくはＰＷＭ信号を平滑し、直流信号とし降圧コンバータ制御ＩＣ４０に出力し、ステップＳ２３へ進む。
【００２４】
ステップＳ２１：ステップＳ１６により得られた電流指令値ｉ２をデジタル・アナログコンバータ、もしくはＰＷＭ信号を平滑し、直流信号とし降圧コンバータ制御ＩＣ４０に出力し、次にステップＳ２３へ進む。
ステップＳ２２：ステップＳ４により得られた電流指令値ｉ２をデジタル・アナログコンバータ、もしくはＰＷＭ信号を平滑し、直流信号とし降圧コンバータ制御ＩＣ４０に出力する。
ステップＳ２３：制御ループが制御開始、もしくは積算時間が更新されてから２０分経過したかを判断する。経過していればステップＳ２４へ、経過していなければＳ２５へ移行する。ここで、２０分とは積算時間の最小単位時間であり、プログラムと不揮発メモリの容量の都合から別の値としても良い。
ステップＳ２４：不揮発メモリ（積算時間記憶手段５２）よりすでに記録されている積算時間を参照する。
【００２５】
ステップＳ２５：制御開始、もしくは積算時間が更新されてから２０分経過していない場合は、２０分をカウントするためのカウンタを加算し、ステップＳ２へ戻る。
ステップＳ２６：ステップＳ２４で得られた積算時間に２０分を加算し、新たな積算時間を算出する。
ステップＳ２７：ステップＳ２５で得られた新たな積算時間を不揮発メモリ（積算時間記憶手段５２）に記録する。
ステップＳ２８：２０分（最小単位時間）をカウントするためのカウンタを初期化し、ステップＳ２へ戻る。
以降再びＳ２からＳ２８をループすることにより制御される。また、不揮発メモリに記録され、各ステップで扱われるのはランプ電圧のみでなくランプ電流であっても良い。
以上説明したように、本実施形態の電子安定器によれば、ランプが交換されたことを自動的に判定し、ランプ点灯の積算時間を初期化するため、積算時間の初期化のための外部機器を設ける必要がなく、また積算時間の初期化のし忘れも防ぐことができる。
【図面の簡単な説明】
【００２６】
【図１】ランプの経時変化の一例をしめしたグラフ。
【図２】本発明の実施形態にかかる電子安定器の概略構成図。
【図３】経過時間に対するランプ電圧の変化の説明図。
【図４】本実施形態のランプ交換判定方法の説明図。
【図５】ランプ交換判定方法の変形例の説明図。
【図６】本実施形態にかかる電子安定器の変形例の概略構成図。
【図７】ランプの経時特性の算出方法の説明図。
【図８】電子安定器の制御処理の流れ図。
【図９】電流指令値テーブルＴ１を示したグラフ。
【図１０】光束補正率テーブルＴ２を示したグラフ。
【符号の説明】
【００２７】
１０        電子安定器
１２        交流電源１２
１４        ランプ
１６        電力供給回路系
１８        点灯制御回路系
５２        積算時間記憶手段
５４        点灯履歴記憶手段
５６        判定手段
【図１】
2005353357.tif 000003
【図２】
2005353357.tif 000004
【図３】
2005353357.tif 000005
【図４】
2005353357.tif 000006
【図５】
2005353357.tif 000007
【図６】
2005353357.tif 000008
【図７】
2005353357.tif 000009
【図８】
2005353357.tif 000010
【図９】
2005353357.tif 000011
【図１０】
2005353357.tif 000012